(57)【要約】【課題】多種多様な携帯電話の着脱を可能とし、携帯電話を手に持つことなく使用することができる安価で衝撃や水等に強く壊れにくい携帯電話用フック及びクリップを提供する。【解決手段】携帯電話用フックの側面に形成された弾性変形の特性を持つ２つのツメの間に携帯電話を弾性係止し、携帯電話用フックの上端部に形成された略U字形状の凹所内に、メガネ等のつる部を取り付ける。これによりメガネ等を着用した場合、携帯電話を手に持つことなく会話をしながら作業等をすることが出来る。又携帯電話用クリップを携帯電話用フックに装着し、帽子等の側面に取り付けることにより同様の効果が得られる。又メガネや帽子等を着用しない場合は、携帯電話用フック（耳用）を直接耳に掛けて使用することにより、同様の効果が得られる。【選択図】図１
2006166003.tif 000002
【特許請求の範囲】
【請求項１】
携帯電話の側部を挟み込み携帯電話の容易な着脱を可能とする２つのツメと、メガネ等のつる部に取り付けるための略U字形状の凹所とが一体的に形成されており、前記２つのツメの間に携帯電話を介挿することで、前記２つのツメの間に前記携帯電話を弾性係止し、前記略U字形状の凹所内にメガネ等のつる部を取り付けるようにした携帯電話用フック。
【請求項２】
携帯電話のスピーカー部が音声の聞き取りを容易にする耳の最近部に位置し、且つマイク部が会話の声の受け取りを容易にする口の近傍に位置するように、前記２つのツメを前記略U字形状の凹所に対して傾斜形状になるよう角度をつけて配設することを特徴とする請求項１に記載の携帯電話用フック。
【請求項３】
柔軟性且つ密着性のある素材を用いることにより、前記２つのツメが柔軟な弾性による撓みで、大きさや形状の異なる多種多様な携帯電話の安定した装着を可能とすることを特徴とする請求項１又は２に記載の携帯電話用フック。
【請求項４】
折りたたみ式携帯電話を閉じた状態のとき、ディスプレー面とキーボード面の重なり部分に出来る隙間に挟み込むことの出来る前記２つのツメの先端部（半弧状の鉤）によって、折りたたみ式携帯電話を閉じたままでも装着を可能にすることを特徴とする請求項１〜３のいずれかに記載の携帯電話用フック。
【請求項５】
請求項１〜４のいずれかに記載の携帯電話用フックの略U字形状の凹所を耳に装着出来るようアーチ状（アーチ型略U字形状）に湾曲し直接耳に掛けることを特徴とする携帯電話用フック。
【請求項６】
請求項１〜４のいずれかに記載の携帯電話用フックの略U字形状の凹所内に取り付けるための略U字形状の凸所と、帽子等の側面を挟み込むための把持部とが一体的に形成されており、前記把持部をバネ等の圧力で押さえ込む付勢機能を持った把持板を具備し、前記把持部と前記把持板の間で帽子等の側面を押圧し挟み込むことを特徴とする携帯電話用クリップ。
【発明の詳細な説明】
【技術分野】
【０００１】
本発明は、携帯電話を手に持たなくて使用を可能にするフック及びクリップに関する。
【背景技術】
【０００２】
従来、携帯電話を手に持たなくて使用を可能にするものとしては、携帯電話用ハンズフリーマイク等の装置が広く知られている。又、ハンズフリーマイク等を用いず同様の効果を得られる装置もいくつか知られている。
【０００３】
例えば、特許文献１のメガネフック付き携帯電話は携帯電話の側面に取り付けたメガネフックをメガネのフレームに引っ掛けることにより、携帯電話をハンドフリーの状態で使用することができる。
【０００４】
又、特許文献２の電話機用吊り下げ具はアーム部とフック部からなる吊り下げ具を携帯電話に装着し、フック部をメガネのつるに掛けることにより又、フック部に面ファスナーを具備したハンガーを取り付け帽子等の側面に張り付けることにより、携帯電話をハンドフリーの状態で使用することができる。
【０００５】
又、特許文献３の携帯電話のホルダはU字形状のクッリプ部で携帯電話を挟み込み、連設されたフック部をメガネのつるに引っ掛けて吊り下げることにより、携帯電話をハンドフリーの状態で使用することができる。
【０００６】
【特許文献１】特開２００１−３６６２０号公報
【特許文献２】特開２００３−３７６６２号公報
【特許文献３】実用新案登録第３０６９６４４号
【発明の開示】
【発明が解決しようとする課題】
【０００７】
しかしながら、以上の技術によれば、現在市販されている携帯電話用ハンズフリーマイク装置は高価で且つ精密機器な為、衝撃や湿気などに弱く壊れやすい。
【０００８】
又、特許文献１のメガネフック付き携帯電話は、フックが予め携帯電話に固定されて取り付けられている為、着脱が容易ではなく多種多様な携帯電話の使用には不向きである。      
【０００９】
又、特許文献２の電話機用吊り下げ具は、粘着面を具備した固定基板で多種多様な携帯電話の使用を可能にしているが、粘着面での繰り返しの着脱は、ほこりや水などの異物の付着による粘着力の低下が問題に思われる。
【００１０】
又、特許文献３の携帯電話のホルダは、線材又は板体で形成されたU字形状のクリップ部で携帯電話を挟み込み使用するものであるが、このU字形状クリップでは、レンズ面の凹凸のあるカメラ付き携帯電話などの円滑な着脱が困難であり、近年の多種多様な形状の携帯電話に対応しがたい。又、折りたたみ式携帯電話の場合、装着時に折りたたむことが出来ず、これも不向きである。
【００１１】
そこで、本発明は、大きさや形状などが異なる多種多様な機種の携帯電話を手に持つことなく使用出来る、安価で衝撃や水等に強く壊れにくい携帯電話用フック及びクリップを提供することを課題とする。
【課題を解決するための手段】
【００１２】
以上の課題を解決するために、請求項１に記載の携帯電話用フックは、携帯電話の側部を挟み込み携帯電話の容易な着脱を可能とする２つのツメと、メガネ等のつる部に取り付けるための略U字形状の凹所とが一体的に形成されており、２つのツメの間に携帯電話を介挿することで２つのツメの間に携帯電話を弾性係止し、略U字形状の凹所内にメガネ等のつる部を取り付けるようにした。尚２つのツメは、携帯電話を挟み込むための最良の形状で、又略U字形状の凹所は、メガネ等のつる部を取り付けるための最良の形状で形成されている。
【００１３】
請求項２に記載の携帯電話用フックは、請求項１に記載の携帯電話用フックにおいて、携帯電話のスピーカー部が音声の聞き取りを容易にする耳の最近部に位置し、且つマイク部が会話の声の受け取りを容易にする口の近傍に位置するように、２つのツメを略U字形状の凹所に対して傾斜形状になるよう角度をつけて配設することを特徴とする。
【００１４】
請求項３に記載の携帯電話用フックは、請求項１又は２に記載の携帯電話用フックにおいて、柔軟性且つ密着性のある素材を用いることにより、２つのツメが柔軟な弾性による撓みで、大きさや形状の異なる多種多様な携帯電話の安定した装着を可能とすることを特徴とする。
【００１５】
請求項４に記載の携帯電話用フックは、請求項１〜３に記載の携帯電話用フックにおいて、折りたたみ式携帯電話を閉じた状態のとき、ディスプレー面とキーボード面の重なり部分に出来る隙間に挟み込むことの出来る２つのツメの先端部（半弧状の鉤）によって、折りたたみ式携帯電話を閉じたままでも装着を可能にすることを特徴とする。
【００１６】
請求項５に記載の携帯電話用フックは、請求項１〜４のいずれかに記載の携帯電話用フックの略U字形状の凹所を耳に装着出来るようアーチ状（アーチ型略U字形状）に湾曲し直接耳に掛けることを特徴とする。
【００１７】
又、請求項６に記載のクリップは、請求項１〜４のいずれかに記載の携帯電話用フックの略U字形状の凹所内に取り付けるための略U字形状の凸所と、帽子等の側面を挟み込むための把持部とが一体的に形成されており、把持部をバネ等の圧力で押さえ込む付勢機能を持った把持板を具備し、把持部と把持板の間で帽子等の側面を押圧し挟み込むことを特徴とする。
【発明の効果】
【００１８】
上述したように請求項１に記載の携帯電話用フックは、携帯電話の側部を挟み込み携帯電話の容易な着脱を可能とする２つのツメと、メガネ等のつる部に取り付けるための略U字形状の凹所とが一体的に形成されており、２つのツメの間に携帯電話を介挿することで２つのツメの間に携帯電話を弾性係止し、略U字形状の凹所内にメガネ等のつる部を取り付けるようにしたことにより、２つのツメで携帯電話が携帯電話用フックに安定且つ確実に装着され、ユーザーが略U字形状の凹所内にメガネ等のつる部を係合しメガネ等を着用することで、携帯電話を装着した携帯電話用フックがメガネ等に支持されて、携帯電話を手に持つことなく会話をしながら両手を使って作業等をすることが出来るという効果を発揮する。
【００１９】
又、請求項２に記載の携帯電話用フックは、請求項１に記載の携帯電話用フックにおいて、携帯電話のスピーカー部が音声の聞き取りを容易にする耳の最近部に位置し、且つマイク部が会話の声の受け取りを容易にする口の近傍に位置するように、２つのツメを略U字形状の凹所に対して傾斜形状になるよう角度をつけて配設することで、ユーザーが、２つのツメの間に携帯電話を装着して携帯電話のスピーカー部を耳に近接して使用すれば、マイク部が音声を捉え易い口の近傍に位置するため良好な送話が可能となるという効果を発揮する。
【００２０】
請求項３に記載の携帯電話用フックは、請求項１又は２に記載の携帯電話用フックにおいて、柔軟性且つ密着性のある素材を用いることにより、２つのツメが柔軟な弾性による撓みで、大きさや形状の異なる多種多様な携帯電話の安定した装着を可能とすることで、ユーザーが複数の形状の異なる携帯電話を使用する場合にも本発明の携帯電話用フック一つで対応出来るという効果を発揮する。
【００２１】
請求項４に記載の本発明の携帯電話用フックは、請求項１〜３に記載の携帯電話用フックにおいて、折りたたみ式携帯電話を閉じた状態のとき、ディスプレー面とキーボード面の重なり部分に出来る隙間に挟み込むことの出来る２つのツメの先端部（半弧状の鉤）によって、折りたたみ式携帯電話を閉じたままでも装着を可能にすることが出来るので、ユーザーが折りたたみ式携帯電話を使用する場合、本発明の携帯電話用フックを常時装着しておけるので、使用の度に装着する手間が省ける。
【００２２】
請求項５に記載の携帯電話用フックは、請求項１〜４のいずれかに記載の携帯電話用フックの略U字形状の凹所を耳に装着出来るようアーチ状（アーチ型略U字形状）に湾曲し直接耳に掛けることにより、携帯電話を装着した携帯電話用フック（耳用）が耳に支持され、メガネや帽子等を着用しなくても携帯電話を手に持つことなく使用することが出来る。
【００２３】
又、請求項６に記載の携帯電話用クリップは、請求項１〜４のいずれかに記載の携帯電話用フックの略U字形状の凹所内に取り付けるための略U字形状の凸所と、帽子等の側面を挟み込むための把持部とが一体的に形成されており、把持部をバネ等の圧力で押さえ込む付勢機能を持った把持板を具備し、把持部と把持板の間で帽子等の側面を押圧し挟み込むことが出来、これによりユーザーが、携帯電話用フックの略U字形状の凹所内に携帯電話用クリップの略U字形状の凸所を係合し、把持部と把持板とで帽子等の側面を挟んで帽子等を着用することで、携帯電話を装着した携帯電話用フックが、携帯電話用クリップを介して帽子等に支持されて、携帯電話が会話に最適な位置に保持されるので、携帯電話を手に持つことなく使用することが出来る。
【００２４】
又、上述したように柔軟性且つ密着性のある素材を用いることによって、大きさや形状の異なる多種多様な携帯電話の安定した装着が出来るが、例えば合成樹脂系の素材を用いることにより安価で衝撃や湿気に強く壊れにくい携帯電話用フックを提供できる。  
【００２５】
又、例えば密着性の強いシリコンゴム系の素材を用いることにより、直接耳に装着した場合やメガネ等に装着した場合、アーチ型略U字形状や略U字形状の凹所が肌に密着し携帯電話の重さによる耳からの脱落やメガネ等のずれをなくすという効果を発揮する。
【００２６】
又、素材による色づけや造形が容易な特性を生かして、例えばハート型やダイヤ型で形成したり、キャラクター物の図柄を描くとか、様々な色や模様や型などで構成することでファッション性が向上するので、アクセサリー的感覚で使用することも可能である。
【発明を実施するための最良の形態】
【００２７】
以下、本発明の実施の形態を図面に基づいて詳細に説明する。
【００２８】
図１に示す本発明の実施の形態に係わる携帯電話用フック１は、柔軟性及び密着性のある部材（例えば合成樹脂系やシリコンゴム系の素材）であり、携帯電話用フック１の側面には、携帯電話の側部１３を柔軟な弾性による撓みで挟み込み安定した装着を可能とする２つのツメ３と３′と、携帯電話用フック１の２つのツメ３と３′の配設面側上端部に、メガネのつる部１５を取り付けための最良な形状略U字形状の凹所２が一体的に形成されている。
【００２９】
ここで、携帯電話の側部１３を挟み安定した装着を可能とする２つのツメ３と３′について詳しく説明する。
【００３０】
２つのツメ３と３′は、柔軟性及び密着性のあるの部材で形成されているため、柔軟な反り返りや伸び縮のある弾性を有する。
【００３１】
又、２つのツメ３と３′の先端部には、携帯電話の脱落防止と安定した装着を目的とした半弧状の鉤４と４′が一体的に形成されている。又、ツメ３とツメ３′は同型で形成されていて、半弧状の鉤４と４′は尖端部が互いに向かい合うように配設されている。これにより携帯電話を２つのツメ３と３′の間に介挿したとき、２つのツメ３と３′が携帯電話の側部１３を横方向から圧着し、半弧状の鉤４と４′で携帯電話を上方向より押さえ込むように挟み込むので、携帯電話の脱落やズレのない安定した装着が可能である。
【００３２】
又、ツメの高さL１は２０〜２５mm程度の高さで、又ツメの幅L２は３０〜５０mm程度の長さで形成されている。このことにより、携帯電話の厚さは２０〜２５mm程度まで装着が可能であり、又携帯電話の側部１３が平坦でなくても（例えば流線型など）、ツメの幅L２がある程度の長さがあるため安定した弾性係止を可能とする。        
【００３３】
又、２つのツメ３と３′の間隔H１は４０〜５０mm程度の幅で形成されている。又２つのツメ３と３′は、携帯電話用フック１の側面に半弧状の鉤４と４′を上方にして、線EF（２つのツメ３と３′の最下部と携帯電話用フック１の側面との２つの接点を結ぶ線）に対してそれぞれA A′の角度（７０〜８０度程度）で互いに傾いて向かい合い形成されている。これにより、平常時の２つのツメ３と３′の上端部の間隔H２は２０〜３０mm程度の幅となり又、一点鎖線で示す弾性変形した反り状態時の２つツメＳ３とＳ３′の上端部の間隔H３は５０〜６０mm程度の幅となる。このことにより２０mmから６０mm程度の幅の携帯電話に対応出来、現在市販されているほとんどの携帯電話の装着が可能である。
【００３４】
又、２つのツメ３と３′は、略U字形状の凹所２と平行な線CDに対しての角度Bを３０〜５０度程度とり配設されている。このことにより図５、図６、図７に示すように携帯電話のスピーカー部を耳に近接して装着すればマイク部が口の近傍に位置し、このことにより良好な送話を可能とする。
【００３５】
又、半弧状の鉤の長さL３は、折りたたみ式携帯電話を閉じた状態において出来るディスプレー面とキーボード面の合わせ面の隙間に最適に装着出来る長さ（３〜５mm程度）で形成されている。これにより折りたたみ式携帯電話を閉じた状態でも２つのツメ３と３′が妨げになることはなく、携帯電話用フック１を装着したままでも折りたたみ式携帯電話を開閉することが可能である。
【００３６】
尚、近年の携帯電話の技術進歩の著しい現状において、将来大幅に小型化した携帯電話にもツメの高さL１、前記半弧状の鉤の長さL３、２つのツメ３と３′の間隔H１を変えることにより対応が可能である。又、図で示してはいないが、ツメの幅Ｌ２を両端５〜１０mm程度残して角柱形状にした四つの独立したツメに形成することで、より複雑な形状の携帯電話にも対応することが出来る。
【００３７】
図２に示す本発明の実施の形態に係わる携帯電話用クリップ５は、強度のあるプラスティック系の部材で形成されている。又携帯電話用クリップ５の下部に、略U字形状の凹所２に最適に装着出来る略U字形状の凸所９と、上部に帽子の側面１７を挟み込む目的で形成された把持部６とが一体的に形成されている。又把持部６をバネの力で押さえ込む目的で形成された把持板７が連設されている。このことにより図６で示すように帽子等を着用している場合、携帯電話を装着した携帯電話用フック１（図４で示す）と携帯電話用クリップ５を係合一体化し、把持部６と把持板７で帽子等の側面を挟み込むことで、携帯電話が会話に最適な位置に保持され、ハンドフリー状態で使用することが出来る。
【００３８】
図３に示す本発明の実施の形態に係わる携帯電話用フック（耳用）１０は、図１に示す携帯電話用フック１の略U字形状の凹所２を耳に最適に装着出来るアーチ状に湾曲したアーチ型略U字形状１１で形成されている。このことによりメガネや帽子等を着用しない場合においても、図７で示すようにアーチ型略U字形状１１を直接耳に掛けることで携帯電話用が会話に最適な位置に保持されて、携帯電話をハンドフリー状態で使用することが出来る。又、携帯電話用フック（耳用）１０を耳に装着した状態において、アーチ型略U字形状１１が密着性のある部材で形成されているため、耳の裏側と頭側の皮膚に密着し、安定した保持姿勢を保つことが出来る。
【００３９】
図４は、図１に示す携帯電話用フック１に携帯電話１２を装着した状態の斜視図で、携帯電話用フック１の２つのツメ３と３′の間に携帯電話１２を介挿し携帯電話の側部１３を挟み込んで弾性係止した状態を示すものである。
【００４０】
図５は、図４に示す携帯電話１２を装着した携帯電話用フック１をメガネのつる部１５に取り付けた状態の使用状態参考図で、携帯電話１２を装着した携帯電話用フック１の略U字形状の凹所２に、メガネのつる部１５を係合することで、携帯電話１２が、メガネ１４を支持体とて会話に最適な位置に保持されていることを示すものである。
【００４１】
図６は、図２に示す携帯電話用クリップ５に、図４に示す携帯電話１２を装着した携帯電話用フック１を係合し、把持部６と把持板７で帽子の側面１７を挟んだ状態の使用状態参考図であり、図２に示す携帯電話用クリップ５の略U字形状の凸所９に、図４に示す携帯電話１２を装着した携帯電話用フック１の略U字形状の凹所２を係合一体化させ、帽子の側面１７を、携帯電話用クリップ５に連設された把持部６と把持板７の間に挟み込むことで、携帯電話１２が、帽子１６を支持体として携帯電話用フック１と携帯電話用クリップ５を介して会話に最適な位置に保持されていることを示すものである。
【００４２】
図７は、図３に示す携帯電話用フック（耳用）１０に携帯電話１２を装着し、直接耳に取り付けた状態の使用状態参考図であり、図３で示す携帯電話用フック（耳用）１０のアーチ型略U字形状１１を支持体である耳に直接装着することによって、携帯電話１２が会話に最適な位置に保持されていることを示すものである。
【００４３】
図８は、図１に示す携帯電話用フック１をアクセサリー的感覚にアレンジした参考図であり、図１に示す携帯電話用フック１の形状をハート型やダイヤ型、又は側面にキャラクター物の絵柄などを描くことによって、アクセサリー的感覚で使用することが出来るようにファッション性付加価値を持たせた一例を示すものである。
【００４４】
以上のように、本実施の形態によれば携帯電話用フック１の側面に形成された２つのツメ３と３′の間に携帯電話を装着し、略U字形状の凹所２にメガネのつる部１５を取り付けることによって、又略U字形状の凹所２と略U字形状の凸所９を係合一体化させ、携帯電話用クリップ５に連設された把持部６と把持板７とで帽子の側面１７を挟み支持することによって、携帯電話が会話に最適な位置に保持されて、携帯電話を手に持つことなく使用することが出来るので、携帯電話で会話をしながら両手で作業をすることが容易に出来る。また、メガネや帽子等を着用しない場合は図３に示す携帯電話用フック（耳用）１０を直接耳に装着することにより上記同様の効果が得られる。  
【産業上の利用可能性】
【００４５】
本発明に係わる携帯電話用フック及びクリップは、携帯電話に使用できるものであるので、産業上利用可能である。
【図面の簡単な説明】
【００４６】
【図１】本発明の実施の形態に係わる携帯電話用フックの斜視図である。
【図２】本発明の実施の形態に係わる携帯電話用クリップの斜視図である。
【図３】本発明の実施の形態に係わる携帯電話用フック（耳用）の斜視図である。
【図４】図１に示す携帯電話用フックに携帯電話を装着した状態の斜視図である。
【図５】図４に示す携帯電話を装着した携帯電話用フックをメガネのつる部に取り付けた状態の使用状態参考図である。
【図６】図２に示す携帯電話用クリップに、図４に示す携帯電話を装着した携帯電話用フックを係合し、把持部と把持板で帽子の側面を挟んだ状態の使用状態参考図である。
【図７】図３に示す携帯電話用フック（耳用）に携帯電話を装着し、直接耳に取り付けた状態の使用状態参考図である。
【図８】図１に示す携帯電話用フックをアクセサリー的感覚にアレンジした参考図である。
【符号の説明】
【００４７】
１      携帯電話用フック
２      略U字形状の凹所
３  ３′  ツメ
Ｓ３  Ｓ３′反り状態時のツメ
４  ４′  半弧状の鉤
５    携帯電話用クリップ
６    把持部
７    把持板
８    バネ
９    略U字形状の凸所
１０  携帯電話用フック（耳用）
１１  アーチ型略U字形状
１２  携帯電話
１３  携帯電話の側部
１４  メガネ
１５  メガネのつる部
１６  帽子
１７  帽子の側面
Ｌ１  ツメの高さ
Ｌ２  ツメの幅
Ｌ３  半弧状の鉤の長さ
Ｈ１  ２つのツメの間隔
Ｈ２  平常時のツメ上端部の間隔
Ｈ３  反り状態時のツメ上端部の間隔
ＣＤ  略U字形状の凹所２に対しての平行線
ＥＦ  ２つのツメ３と３′の最下部（付け根部）を結ぶ線
Ａ    ツメ３と線EFに対する角度   
Ａ′  ツメ３′と線EFに対する角度
Ｂ    ツメ３と線CDに対する角度
【図１】
2006166003.tif 000003
【図２】
2006166003.tif 000004
【図３】
2006166003.tif 000005
【図４】
2006166003.tif 000006
【図５】
2006166003.tif 000007
【図６】
2006166003.tif 000008
【図７】
2006166003.tif 000009
【図８】
2006166003.tif 000010